(57)【要約】【課題】立ち上げ片としての機能を損なうことなく構成材料の種類の増加を抑えてコストを削減する。【解決手段】液透過性の表面シート３と、液不透過性の防漏シート４と、これらの表面シート３および防漏シート４間に介在された液保持性の吸収体５と、からなる縦長状の本体２を少なくとも有する吸収性物品１において、本体２の左右各端縁近傍に位置して表面シート３を折り込んで一対の立ち上げ片３１が形成され、各立ち上げ片３１は、液不透過性のホットメルト接着剤６を介して接着されている。【選択図】        図１
2004216124.tif 000002
【特許請求の範囲】
【請求項１】
液保持性の吸収体を覆うシートの表面に防漏用のカフを設けた吸収性物品において、
着用者の身体の表面に対面するシートの表面部から当該シートが立ち上がるように折り曲げられて二重となって前記カフが形成されていると共に、
前記カフにおける少なくとも基端部の近傍には、当該カフが二重に折られた状態を保形するための接着部が設けられている吸収性物品。
【請求項２】
前記カフは、互いに対面した状態で、かつ、折り返し部において互いに連らなった状態で、接合された一対の立上部を有し、
前記一対の立上部のうち一方の立上部が前記シートの第１表面部から連らなるようにして立上り、
前記一対の立上部のうち他方の立上部が前記シートの第２表面部から連らなるようにして立上り、
前記第１表面部、一対の立上部および第２表面部が一枚のシートで形成されていることを特徴とする請求項１に記載の吸収性物品。
【請求項３】
前記シートが液透過性を有し、前記吸収体の一部もしくは全部を包む部材を構成していることを特徴とする請求項２に記載の吸収性物品。
【請求項４】
ウエブの流れ方向に当該ウエブ自身が立ち上がることによって、２つのカフを形成する工程と、
前記ウエブが吸収体を覆い、前記２つのカフの間に前記吸収体の少なくとも一部を配置する工程とを包含する、吸収性物品の製造方法。
【請求項５】
ウエブの流れ方向に沿って弾性体を接着剤を介して配置する工程と、
前記弾性体が配置された前記ウエブの部分を前記弾性体が内側となるように二重に折り重ねると共に、当該二重に折り重ねた状態を保形するためにウエブ同士を互いに接着してカフを形成する工程と、
前記カフを形成したウエブに吸収体を配置する工程とを包含する、吸収性物品の製造方法。
【発明の詳細な説明】
【技術分野】
【０００１】
本発明は、使用者が下着とともに狭い股間において着用する生理用ナプキン、失禁用パット、おりもの処理用パット、使い捨ておむつなどの吸収性物品に関するものである。
【背景技術】
【０００２】
一般に、吸収性物品、例えば、生理用ナプキン１１は、図５および図６に示すように、液透過性の表面シート１３と、液不透過性の防漏シート１４と、これらの表面シート１３および防漏シート１４間に介在された液保持性の吸収体１５と、からなる縦長状の本体１２を少なくとも有している。そして、吸収性物品１１においては、着用中において、経血などの排泄液を吸収体１５で確実に吸収するとともに、排泄液が物品１１の外へ漏出することがないように、本体１２の左右各端縁に位置して、液不透過性材料、例えば、撥水性不織布から形成された立ち上げ片１６が設けられている。
【０００３】
ここで、前記立ち上げ片１６は、前記各シート１３，１４とは別の部材で形成されており、その各側端縁が、表面シート１３および防漏シート１４にそれぞれ接合されている（例えば、特許文献１、特許文献２参照）。
【０００４】
【特許文献１】特開２００１−２５２３０８号公報
【特許文献２】特開２００２−３１５７８１号公報
【発明の開示】
【発明が解決しようとする課題】
【０００５】
しかし、前述のように、立ち上げ片を表面シートや防漏シートとは別の部材で形成し、該各シートに接合する工程が必要なので、製造コストがアップする。
一方、前記立ち上げ片は、一般に、疎水性の不織布により形成されている。そのため、吸収性物品を構成する材料の種類が増加するため、材料費の増加は否めない。
【０００６】
本発明は、このような問題点に鑑みてなされたものであり、立ち上げ片としての機能を損なうことなく材料の種類の増加を抑えて材料費の削減を図ると共に、製造コストの削減が可能な吸収性物品を提供するものである。
【課題を解決するための手段】
【０００７】
本発明のある吸収性物品は、液保持性の吸収体を包むシートの表面に、防漏用のカフを設けた吸収性物品において、着用者の身体の表面に対面するシートの表面部から当該シートが立ち上がるように折り曲げられて二重となって前記カフが形成されていると共に、前記カフにおける少なくとも基端部の近傍には、当該カフが二重に折られた状態を保形するための接着部が設けられていることを特徴とする。
【０００８】
カフは、着用者の身体の表面に対面するシートの表面部からシートが立ち上がるように折り曲げられた一対の立上部が二重となって形成されており、前記立ち上がる基端部において立上部を互いに接合してもよいし、あるいは、基端部の近傍を他のシートに接着してもよい。なお、カフは先端部が折り返されたように断面がヘアピン状に二重になっている。
【０００９】
本発明において、カフを形成するシートは、液透過性の表面シートを折り曲げて一体に形成してもよいし、液不透過性の防漏シートで形成してもよく、あるいは、前記表面シートと防漏シートの双方で形成してもよい。また、カフを保形するために、カフの基端部を互いに接合する場合には、カフの概ね全域にわたってシート同士を互いに接着してもよいが、カフにおける少なくとも基端部の近傍のシート同士が互いに接合されてカフが保形されていればよい。
カフのシート同士を接着する方法としては、疎水性の接着剤を用いてもよいが、シート同士を互いに熱融着させてもよい。
【００１０】
本発明において、前記カフは、互いに対面した状態で、かつ、折り返し部において互いに連らなった状態で、接合された一対の立上部を有し、前記一対の立上部のうち一方の立上部が、前記シートの第１表面部から連らなるようにして立上り、前記一対の立上部のうち他方の立上部が、前記シートの第２表面部から連らなるようにして立上り、前記第１表面部、一対の立上部および第２表面部が一枚のシートで形成されていてもよい。
この場合、前記シートが液透過性を有し、前記吸収体の一部もしくは全部を包む部材を構成してもよい。
【００１１】
本発明の他の吸収性物品は、液透過性の表面シートと、液不透過性の防漏シートと、これらの表面シートおよび防漏シート間に介在された液保持性の吸収体と、からなる本体を少なくとも有する吸収性物品において、表面シートを折り込んで立ち上げ片が形成されるとともに、立ち上げ片が疎水性の第１の接着剤を介して接着されていることを特徴とするものである。
【００１２】
前記立ち上げ片は、表面シートを折り返して形成されている。そして、液透過性の表面シートを折り返して形成された立ち上げ片は、疎水性の接着剤によって貼り合わされていることから、経血などの排泄液が立ち上げ片を透過することはない。
【００１３】
この結果、立ち上げ片を形成するための格別な疎水性の不織布は不要となることから、材料の種類を増加させることがない他、原材料費を低減することができ、全体コストを削減することができる。また、本発明の吸収性物品を生産する場合、供給する材料の種類が少ないため、供給装置の数を減らすことができる。
【００１４】
本発明において、前記立ち上げ片には、伸長状態の弾性体が第２の接着剤を介して貼着されていると、折り畳み状態から本体を展開した際、弾性体が立ち上げ片を起立させることができる。
【００１５】
本発明のある吸収性物品の製造方法は、ウエブの流れ方向に沿って当該ウエブ自身が立ち上がることによって、２つのカフを形成する工程と、前記ウエブが吸収体を覆い、前記２つのカフの間に前記吸収体の少なくとも一部を配置する工程とを包含することを、特徴とする。
本発明の別のある吸収性物品の製造方法は、ウエブの流れ方向に沿って弾性体を接着剤を介して配置する工程と、前記弾性体が配置された前記ウエブの部分を前記弾性体が内側となるように二重に折り重ねると共に、当該二重に折り重ねた状態を保形するためにウエブ同士を互いに接着してカフを形成する工程と、前記カフを形成したウエブに吸収体を配置する工程とを包含する。
【発明の効果】
【００１６】
このように本発明によれば、吸収体を包む（覆う）シートでカフや立ち上げ片を形成したので、カフや立ち上げ片を表面シートや防漏シートとは別の部材で形成し、該各シートに接合する工程が不要となる。従って、製造コストを大幅に削減することができる。
また、カフや立ち上げ片を他のシートとは異なる種類の材料で形成することなく、カフや立ち上げ片としての機能を維持することができるので、材料コストを削減することができる。
【００１７】
一方、本製造方法によれば、前記カフをシートの表面に容易に製造することが可能である。
【００１８】
以下、本発明の実施例を図面に基づいて説明する。
【実施例１】
【００１９】
図１には、本発明の吸収性物品である生理用ナプキン１の実施例１が示されている。
【００２０】
この生理用ナプキン１は、液透過性の表面シート３と、液不透過性の防漏シート４と、これらの表面シート３および防漏シート４間に介在された液保持性の吸収体５と、からなる縦長状の本体２を有している。
【００２１】
そして、表面シート３には、本体２の左右各端縁部において、折り返されて立ち上げ片３１が形成されており、折り返された立ち上げ片３１同士は、第１の接着剤６を介して接着されている。また、立ち上げ片３１には、本体２を折り畳み状態から使用状態に展開した際、立ち上げ片３１を本体２に対して起立させる弾性体７が伸長状態で第２の接着剤８を介して接着されている。なお、弾性体７は一本であってもよいし、複数本であってもよい。
【００２２】
立ち上げ片３１の高さは、約２〜４０ｍｍであることが好ましい。排泄液が本体２の外部に漏れ出ることを防ぐためである。このため、少なくとも第１の接着剤６は疎水性であり、それはコーター塗りやカーテンスプレイにより塗布される。なお、第１の接着剤６と第２の接着剤８の材料は同じであってもよい（例えば、ホットメルト）が、第２の接着剤８はコーム用ガン、スパイラル用ガン、またはオメガ用ガンなどにより、弾性体７に塗布されることが好ましい。弾性体７の部分部分に第２の接着剤８が塗布されることにより、立ち上げ片３１にできるギャザーの形状の見栄えをよくすることができるからである。
【００２３】
なお、防漏シート４には、詳細には図示しないが、その表面に粘着剤が塗布された粘着剤塗布部を長手方向にわたって有しており、この粘着剤塗布部には、離型紙が貼着されている。
【実施例２】
【００２４】
図２には、本発明の吸収性物品である生理用ナプキン１の実施例２が示されている。この生理用ナプキン１の本体９の構成は、立ち上げ片３１が吸収体５の上に位置しない点を除いて図１に示す本体２のものと略同じである。表面シート３は、吸収体５の周囲にて防漏シート４と熱融着または接着剤により接続されている。接着剤が使用される場合、スパイラル用ガンによって接着剤が塗布されてもよい。図２に示す生理用ナプキン１では、本体９の左右各側縁に略台形のウイング部が形成されている。
【００２５】
次に、このように構成された生理用ナプキン１の使用方法について説明する。
【００２６】
まず、折り畳み状態の生理用ナプキン１を取り出し、使用状態に展開すれば、弾性体７が元の長さに復帰するように最短距離に縮小するため、立ち上げ片３１は、本体２に対して起立する。この後、防漏シート４の粘着剤塗布部に貼着されている離型紙を剥離し、粘着剤塗布部を下着の股部内面に貼着する。次いで、生理用ナプキン１を装着した下着を着用すれば、起立された立ち上げ片３１が表面シート３とともに肌に接触する。
【００２７】
この場合、排泄液は、表面シート３を通して吸収体５に吸収されるものの、防漏シート４によって外部に漏出することは防止される。また、排泄液が立ち上げ片３１に達したとしても、立ち上げ片３１は、第１の接着剤６によって貼り合わされているため、排泄液が立ち上げ片３１を透過することは確実に防止される。
【実施例３】
【００２８】
つぎに、実施例３について説明する。
図３および図４は実施例３を示す。
図３（ａ）に示すように、液保持性の吸収体５の内面側を覆う表面シート３の表面には、一対の防漏用のカフ３０が設けられている。カフ３０は、着用者の身体の表面に対面する表面シート３の表面部３８から立ち上がるように折り曲げられ、該折り曲げられて形成された一対の立上部３９，３９によって、二重に折り重なって形成されている。そのため、先端部（折り返し部）３６において折り返されたカフ３０は、断面がヘアピン状に二重になっている。なお、図３（ａ）では、各カフ３０が外方に向って折り曲げられている例を示しているが、各カフ３０は、内方に向って折り曲げられていてもよい。
【００２９】
すなわち、図３（ａ）に示すように、前記一対の立上部３９，３９は、互いに対面した状態で、かつ、前記先端部３６において互いに連なった状態で接合されている。前記一対の立上部３９，３９のうち一方の立上部３９の基端部３５に、前記表面シート３の第１表面部３８ａが連らなっていると共に、他方の立上部３９の基端部に、前記表面シート３の第２表面部３９ｂが連らなっている。かかる構成により、前記第１表面部３８ａ、一対の立上部３９，３９および第２表面部３８ｂが一枚の表面シート３で形成される。
なお、本実施例の場合、図３（ａ）のように、カフが一対設けられており、前記第１表面部３９ａが前記一対のカフ３０，３０の間に配置されて、前記表面シート３が前記吸収体５の一部を包む部材を構成している。当該第１表面部３９ａを、前記吸収体５の全部を包む部材を構成するようにしてもよい。
【００３０】
前記一対の立上部３９，３９の基端部３５の間には、接着部３７が設けられていてもよい。前記接着部３７に第１の接着剤６を塗布することで、立上部３９の基端部３５同士を接着し、カフ３０が二重に折られた状態が保形される。なお、第１の接着剤６は、前記接着部３７にのみ塗布され、その他の立上部３９，３９の間には塗布されていない。
【００３１】
カフ３０に達した排泄液は、該カフ３０によって下方向（吸収体５へ向かう方向）に向かい、表面シート３を介して吸収体５に吸収される。したがって、液透過性の表面シート３でカフ３０を形成しても、ある程度、排泄液の漏れを防止することができる。
【００３２】
図４（ａ）に示す表面シート３と裏面の防漏シート４との周囲は、たとえば、ヒートエンボス加工により互いに貼り合わされてもよい。かかる場合には、カフ３０の長手方向Ｘの両端部３２が表面シート３に固定され、カフ３０が表面シート３の表面に沿って折り込まれた状態に形成されてもよい。
【００３３】
一方、図４（ｂ）の表面シート３と吸収体５とを熱融着ないし接着剤により互いに接着してもよい。表面シート３と吸収体５とを接着する部分は、図４（ａ）に二点鎖線および破線で示す接着エリア３３であってもよい。
表面シート３と吸収体５との間には、トランスファーシート５０を介挿してもよい。
【００３４】
前記接着エリア３３内にエンボス加工を施してもよい。エンボス加工により形成される孔の形状としては、図４（ａ）の円形３４の他に方形や菱形などであってもい。
【００３５】
また、図３（ｂ），（ｃ）に示すように、表面シート３が防漏シート４に接着された部分に前記カフ３０を設けてもよい。
かかる場合には、図３（ｂ）に示すように、カフ３０の基端部３５と防漏シート４との間に第１の接着剤６を介して、基端部３５と防漏シート４とを接着して、カフ３０の二重となっている状態を保形するようにしてもよい。
また、第１および第２の接着剤６，８はナプキンの長手方向に連続的に塗布されていてもよいし、不連続に塗布されていてもよい。
【００３６】
なお、必ずしも第１の接着剤６を用いて立上部３９，３９同士を接着する必要はない。たとえば、図３（ｃ）に示すように、両立上部３９の基端部３５同士を熱融着により互いに接着してもよい。
【００３７】
その他の構成および使用方法は、実施例１と同様であり、同一部分または相当部分に同一符号を付して、その詳しい説明を省略する。
【００３８】
なお、前述した実施例においては、生理用ナプキン１について説明したが、生理用ナプキン１に限定するものではなく、また、使用状況によっては、本体２の左右各側縁に略台形状のウイング部を形成してもよいし、本体９がウイング部を有さなくてもよい。
【００３９】
また、前述した立ち上げ片３１やカフ３０は、生理用ナプキンだけではなく、使い捨てオムツやパンツ（以後、これらを単にパンツという。）に用いることができる。パンツのレッグホール周りに立ち上げ片が用いられる場合、排泄液がパンツから脚を伝わって漏れることを妨げることができる。また、男性用パンツの場合、パンツの前身ごろに立ち上げ片が用いられることにより、排泄液がパンツの前部から漏れることを妨げることができる。
【００４０】
また、表面シート３と吸収体５の間には、排泄液を略一方向、つまり表面シート３から吸収体５に導くトランスファシートが挿入されていてもよい。トランスファシートは、メッシュ状であってもよい。
【００４１】
また、吸収体５には、表面シート３の上からエンボス加工が施されていてもよい。このため、吸収体５の形状を整えたり、吸収体５の吸収率を上げることができる。
【実施例４】
【００４２】
製造方法：
図７〜１０を用いて、本発明の吸収性物品を縦流れで連続して製造する方法の一例について説明する。
図７は、製造工程の設備を示す。
【００４３】
工程１：
図８（ａ）に示す流れ方向Ａに連続送りされる表面シート用の不織布（ウエブの一例））３の幅方向Ｗの両端の部分６ａ，６ｂに、コーター塗りやカーテンスプレイ等により第１の接着剤６，６を塗布する。一方、図８（ｂ）の弾性体７，７に、スパイラル用ガンやコーム用ガン等を用いて第２の接着剤８，８を塗布し、接着剤８，８が塗布された弾性体７，７を不織布３上に配置して、弾性体７及び接着剤部６，８を有する表面シート３Ａを作成する。
【００４４】
第１の接着剤６及び第２の接着剤８は耐水性を有する接着剤（例えば、ホットメルト）であればよく、第１の接着剤６と第２の接着剤８とが同じであってもよい。なお、弾性ホットメルトのように、それ自身が弾性を有する接着剤を使用してもよい。
【００４５】
接着剤塗布部６ａ，６ｂの幅を広くしてもよく、また、不織布３における弾性体７を配置する部分にも第１の接着剤６を塗布する場合には、弾性体７に第２の接着剤８を塗布せずに弾性体７を不織布３上に配置してもよい。
また、挟み込まれる弾性体７は、一本であってもよいし、複数本であってもよい。
【００４６】
工程２：
図７の前記工程１で作成した表面シート３Ａの両端をセーラーＳ等で内側に折り曲げて、図９（ａ），（ｂ）に示すように、第１の接着剤６及び弾性体７を表面シート３Ａによって挟み込む。その後、表面シート３Ａにおける接着されていない部分を、図９（ｃ），（ｄ）のように、接着剤塗布部を基点にして外方に折り返すことにより、防漏カフ用の立上部３９，３９となる部分を有する表面シート３Ｂを作成する。
また、不織布３として疎水性の不織布を使用する場合、液透過性を付与するために、不織布３に穴をあけてメッシュシート状にすることが好ましい。この穴をあける工程は、後述する工程３の前までに行えばよい。
【００４７】
工程３：
一方、図７のロールパルプ１００を粉砕機１０１で粉砕して解繊したフラッフをパターンドラム１０２上に積層して、吸収体５（図１）を成形する。
吸収体５は、ティッシュや不織布等で包んでもよい。フラッフには、高吸収性ポリマーを混合してもよい。また、吸収体５は、エアレイドパルプでもよい。
【００４８】
工程４：
前記工程２で作成した立上部３９を有する表面シート３Ｂに吸収体５を前記パターンドラム１０２上で配置した後、吸収体の表面を防漏シート４に対面させ、図１０（ａ），（ｂ）のように、表面シート３Ｂと吸収体５と防漏シート４との積層体２Ａを作成する。
表面シート３Ｂと吸収体５との間にトランスファーシートを挟んでもよい。
また、吸収体５の表面を防漏シート４に対面させる前に、吸収体５と防漏シート４との間に、別の不織布等を挟んでもよい。
【００４９】
工程５：
図１０（ｃ），（ｄ）に示すように、積層体２Ａにおける、吸収体物品１の周囲部４１にあたる部分を熱融着により接着した後、切断して、吸収性物品１を製造する。この工程の前に、積層体２Ａにエンボス加工を行なってもよい。
【００５０】
なお、前記実施例では、接着剤を用いて接着することによって立上部３９を形成したが、熱融着によって立上部３９を形成してもよい。
【００５１】
また、前記実施例では、立上部３９が吸収体５の上に位置する吸収性物品の製造工程を説明したが、図２および図３（ｂ），（ｃ）に示すように、立上部３９を吸収体５の外側に形成してもよい。かかる場合には、表面シートと防漏シートを接着剤または熱融着により接着することによって、基端部３５を形成してもよい（図３（ｂ）参照）。
【００５２】
また、吸収性物品１は、図４（ａ）に示すように、ウイング部１０を有するように形成されてもよい。
このように製造された吸収性物品は、生理用ナプキンだけでなく、使い捨てのおむつ、吸収パッド等に用いることができる。
【産業上の利用可能性】
【００５３】
本発明は、使用者が下着とともに狭い股間において着用する生理用ナプキン、失禁用パット、おりもの処理用パット、使い捨ておむつ等の吸収性物品に用いることができる。
【図面の簡単な説明】
【００５４】
【図１】本発明の実施例１にかかる吸収性物品である生理用ナプキンを示す断面図である。
【図２】同生理用ナプキンの実施例２を示す断面図である。
【図３】（ａ）は実施例３にかかる吸収性物品である生理用ナプキンを模式的に示す断面図、（ｂ）および（ｃ）は他の例を示す生理用ナプキンの模式的な断面図である。
【図４】生理用ナプキンの平面図および模式的な断面図である。
【図５】従来の吸収性物品である生理用ナプキンの一例を示す斜視図である。
【図６】図５の生理用ナプキンのＩ−Ｉ線断面図である。
【図７】本発明の吸収性物品の製造設備の一例を示す概略構成図である。
【図８】（ａ）は工程１におけるウエブの平面図、（ｂ）は（ａ）のＹ−Ｙ線断面図である。
【図９】（ａ），（ｃ）は工程２におけるウエブの平面図、（ｂ），（ｄ）はそれぞれ（ａ），（ｃ）のＹ−Ｙ線断面図である。
【図１０】（ａ）は工程４で製造した積層体の平面図、（ｂ）は（ａ）のＹ−Ｙ線断面図、（ｃ）は工程５で製造した吸収性物品の平面図、（ｄ）は（ｃ）のＹ−Ｙ線断面図である。
【符号の説明】
【００５５】
１  生理用ナプキン
２，９  本体
３  表面シート
３０  カフ
３１  立ち上げ片
３５  基端部
３６  折り返し部（先端部）
３７  接着部
３８  表面部
３８ａ  第１表面部
３８ｂ  第２表面部
４  防漏シート
５  吸収体
６  第１の接着剤
７  弾性体
８  第２の接着剤
Ａ  流れ方向
【図１】
2004216124.tif 000003
【図２】
2004216124.tif 000004
【図３】
2004216124.tif 000005
【図４】
2004216124.tif 000006
【図５】
2004216124.tif 000007
【図６】
2004216124.tif 000008
【図７】
2004216124.tif 000009
【図８】
2004216124.tif 000010
【図９】
2004216124.tif 000011
【図１０】
2004216124.tif 000012